(57)【要約】【課題】装置高さが低く、コンパクトな形状であると共に、スノーボードが一枚であっても確実に自立して支持することが可能であって、且つ、ユニットとして組み込むことが容易なボード支持装置を提供する。【解決手段】本発明に係るボード支持装置１は、スノーボード１００（もしくは１００Ａ、１００Ｂ）を長手方向に立てた状態で支持するボード支持装置であって、スノーボード１００（もしくは１００Ａ、１００Ｂ）の長手方向の一端部１０２が差し込まれる開口部１６と、差し込まれた一端部１０２が当接することによりスノーボード１００（もしくは１００Ａ、１００Ｂ）を下方から支持する支持部１８（もしくは１８Ａ、１８Ｂ、１８Ｃ、１８Ｄ）と、を備え、支持部１８（もしくは１８Ａ、１８Ｂ、１８Ｃ、１８Ｄ）は、一端部１０２の移動を規制する規制部２０（もしくは２２、２４）を有する。【選択図】図５
2017038785.tif 000002
【特許請求の範囲】
【請求項１】
スノーボードを長手方向に立てた状態で支持するボード支持装置であって、
前記スノーボードの長手方向の一端部が差し込まれる開口部と、
前記差し込まれた一端部が当接することにより前記スノーボードを下方から支持する支持部と、を備え、
前記支持部は、前記一端部の移動を規制する規制部を有すること
を特徴とするボード支持装置。
【請求項２】
前記規制部として、前記一端部の表面側部分が当接可能に立設されて該一端部の前方への移動を規制する前部壁を有すること
を特徴とする請求項１記載のボード支持装置。
【請求項３】
前記規制部として、前記一端部の縁部分が左右二箇所で当接可能に立設されて該一端部の左右への移動、または左右への移動および前方への移動を規制する一対の側部壁を有すること
を特徴とする請求項１または請求項２記載のボード支持装置。
【請求項４】
前記開口部は、前後方向の幅が前記スノーボードにおける板厚よりも大きく且つキック高さよりも小さく形成されていること
を特徴とする請求項２記載のボード支持装置。
【請求項５】
前記開口部と前記支持部との間の長さが、前記スノーボードにおける前記一端部の先端と該一端部側のビンディングとの間の長さよりも短いこと
を特徴とする請求項１〜４のいずれか一項に記載のボード支持装置。
【請求項６】
前記支持部の前記前部壁の位置が、前記開口部の前方側内縁部の位置よりも前方側にあること
を特徴とする請求項２記載のボード支持装置。
【請求項７】
平面視における前記支持部の前記前部壁と前記開口部の後方側内縁部との間の長さが、前記スノーボードの前記キック高さと略同一寸法であること
を特徴とする請求項４記載のボード支持装置。
【請求項８】
前記開口部が支持部材を挟んで前後方向に二個設けられ、
前記支持部が前後方向にそれぞれ逆向きに二個設けられていること
を特徴とする請求項１〜７のいずれか一項に記載のボード支持装置。
【請求項９】
前記開口部および前記支持部が、左右方向に複数個設けられていること
を特徴とする請求項１〜８のいずれか一項に記載のボード支持装置。
【請求項１０】
前記開口部が支持部材を挟んで前後方向に複数個並設され、
前記支持部が前後方向に複数個並設されており、
前記支持部材は、所定幅の上面を有する板状部材であって、
前記支持部材を固定すると共に前記上面に印加された荷重を支承する骨組部材を備えること
を特徴とする請求項１〜７のいずれか一項に記載のボード支持装置。
【請求項１１】
請求項１〜９のいずれか一項に記載のボード支持装置と、
スキー板のテール側の端部が差し込まれるスキー用開口部と、前記差し込まれた端部が当接することにより前記スキー板を立てた状態で下方から支持するスキー用支持部とを有し、該スキー用開口部および該スキー用支持部が左右方向に複数個設けられたスキー支持装置と、を備えること
を特徴とする支持ユニット。
【請求項１２】
箱状体の外形を有し、
前記箱状体の上面に開口する溝状もしくは孔状に形成されて、前記ボード支持装置および前記スキー支持装置のいずれに対しても収納・固定が可能な収納部を複数備え、
前記複数の収納部に対して、任意に選択された前記ボード支持装置もしくは前記スキー支持装置が収納されて、固定されていること
を特徴とする請求項１１記載の支持ユニット。
【発明の詳細な説明】
【技術分野】
【０００１】
本発明は、ボード支持装置および支持ユニットに関し、さらに詳細には、スノーボードを立てた状態で支持するボード支持装置、および、当該ボード支持装置とスキー板を立てた状態で支持するスキー支持装置とを備える支持ユニットに関する。
【背景技術】
【０００２】
従来より、スキー場、あるいはスキー・スノーボード用品の販売店・レンタル店等において、スキー板やスノーボードを立て掛けて支持する支持装置が用いられている。
【０００３】
一例として、特許文献１記載の支持装置が提案されている。従来の支持装置は、同文献１図５、図７に例示されるように、長尺のスキー板・スノーボードの長手方向の中央よりも上方の位置（すなわち、重心部分よりも高い位置）に対応して配設される支持部を備え、当該支持部に対してスキー板・スノーボードを立て掛けるようにしてそれらの指示を行う構成が一般的であった。
【先行技術文献】
【特許文献】
【０００４】
【特許文献１】特開平９−７５５０１号公報
【発明の概要】
【発明が解決しようとする課題】
【０００５】
ここで、特許文献１に例示されるような従来の支持装置においては、装置高さをスキー板・スノーボードの重心部分よりも高く設定しなければならないため、装置形状が必然的に大型となり、設置時に広い場所が必要となるという課題や、未使用時に収納する際等において収納作業に多大な労力を要し、また収納場所の確保が困難になるという課題があった。これに対して、例えば、ゴンドラリフトへの搭載用等を目的として、スキー板を滑走面同士合わせて重ねた状態で差し込んで支持する支持装置等も見受けられる。しかしながら、特にスノーボードに関しては、左右一対（すなわち二枚）で用いるスキー板と相違して、一枚で使用するものであり、且つ、スキー板よりもテール部のキック高さが大きいこと等によって、差し込み式支持装置により支持しようとした場合、一枚だけでは自立が困難、あるいは、自立しても風等により倒れやすいという課題があった。その一方で、二枚のスノーボードを滑走面同士合わせて重ねた状態で自立させようとすると、自立し易くなるものの、スノーボード同士でエッジが接触すること等によって傷がつき易いという課題があった。
【０００６】
さらに、近年のスキー板、スノーボードは、使用ジャンルが細分化（アルペン、フリースタイル、バックカントリー等）することによる形状の多様化や、支持装置の耐用年数よりも短い時間周期での形状変更によって、支持装置が短期間で使用できなくなってしまう課題も生じている。
【０００７】
本発明は、上記事情に鑑みてなされ、装置高さが低く、コンパクトな形状であると共に、スノーボードが一枚であっても確実に自立して支持することが可能であって、且つ、ユニットとして組み込むことが容易なボード支持装置を提供することを目的とする。
【課題を解決するための手段】
【０００８】
本発明は、以下に記載するような解決手段により、前記課題を解決する。
【０００９】
本発明に係るボード支持装置は、スノーボードを長手方向に立てた状態で支持するボード支持装置であって、前記スノーボードの長手方向の一端部が差し込まれる開口部と、前記差し込まれた一端部が当接することにより前記スノーボードを下方から支持する支持部と、を備え、前記支持部は、前記一端部の移動を規制する規制部を有することを要件とする。
【発明の効果】
【００１０】
本発明によれば、高さが低く、コンパクトな形状のボード支持装置を実現することができる。したがって、設置時や倉庫への保管時等の作業を大幅に省力化でき、且つ、設置場所・保管場所を削減することができる。また、スノーボードが一枚であっても風や接触等による傾倒が防止でき、確実に自立して支持することができる。したがって、スノーボード同士が接触して傷が付いてしまうことも防止できる。さらに、当該ボード支持装置を用いた支持ユニットを容易に実現することができる。
【図面の簡単な説明】
【００１１】
【図１】本発明の第一の実施形態に係るボード支持装置を備える支持ユニットの例を示す概略図（斜視図）である。
【図２】図１に示すボード支持装置を備える支持ユニットによってスノーボードを支持した状態を示す概略図（斜視図）である。
【図３】図１に示すボード支持装置（スノーボード有り）の概略図（分解斜視図）である。
【図４】図１に示すボード支持装置（スノーボード無し）の概略図（分解斜視図）である。
【図５】図３のＶ部における断面図である。
【図６】本発明の第二の実施形態に係るボード支持装置およびスキー支持装置を備える支持ユニットの例を示す概略図（斜視図）である。
【図７】図６に示すスキー支持装置（前面カバー有り）の概略図（斜視図）である。
【図８】図６に示すスキー支持装置（前面カバー無し）の概略図（斜視図）である。
【図９】本発明の第二の実施形態に係るボード支持装置およびスキー支持装置を備える支持ユニットの変形例を示す概略図（斜視図）である。
【図１０】本発明の第三の実施形態に係るボード支持装置（ベンチ兼用）の例を示す概略図（斜視図）である。
【図１１】本発明の第四の実施形態に係るボード支持装置の例を示す概略図（斜視図）である。
【図１２】図１１に示すスキー支持装置の支持部の例を示す概略図（斜視図）である。
【図１３】本発明の第五の実施形態に係るボード支持装置の例を示す概略図（斜視図）である。
【図１４】図１３に示すスキー支持装置の支持部の例を示す概略図（斜視図）である。
【図１５】図１３に示すスキー支持装置の支持部の作用を説明するための説明図である。
【図１６】本発明の第六の実施形態に係るボード支持装置の例を示す概略図（斜視図）である。
【図１７】図１６に示すスキー支持装置の支持部の例を示す概略図（斜視図）である。
【図１８】図１６に示すスキー支持装置の支持部の作用を説明するための説明図である。
【発明を実施するための形態】
【００１２】
（第一の実施形態）
以下、図面を参照して、本発明の第一の実施形態について詳しく説明する。図１、図２は、ボード支持装置１を備える支持ユニット３の例を示す概略図（側面図）である。説明の便宜上、図中において矢印方向でボード支持装置１の前後、左右、および上下方向を示す。なお、実施形態を説明するための全図において、同一の機能を有する部材には同一の符号を付し、その繰り返しの説明は省略する場合がある。
【００１３】
第一の実施形態として、箱状の支持ユニット３にボード支持装置１が着脱可能に収納されて固定された構成を例に挙げて説明を行う。
【００１４】
本実施形態に係るボード支持装置１は、スノーボードを長手方向に立てた状態で支持する装置である。ボード支持装置１の最小構成単位は開口部１６が一個および支持部１８が一個の状態であり、任意に並設させた構成（「アッセンブリー」という）とすることが可能である。図１、図２に示すように、開口部が前後方向に二個、左右方向に三個、すなわち計六個設けられて、六個のスノーボードをそれぞれ支持可能なボード支持装置１（アッセンブリー１Ａ、１Ｂ）を例に挙げて説明を行う。
【００１５】
この例では、支持ユニット３の外形をなす箱状体３ａの上面にボード支持装置１（アッセンブリー１Ａ、１Ｂ）を収納・固定する複数個（ここでは二個）の収納部（ここでは３Ａ、３Ｂ）が設けられている。収納部３Ａ、３Ｂは、いずれも開口する溝状もしくは孔状に形成されている。
【００１６】
ここで、ボード支持装置１（アッセンブリー１Ａ、１Ｂ）の前面カバー１２を外した状態を図３（スノーボード有り）、および図４（スノーボード無し）に示す。同図に示すように、ボード支持装置１は、スノーボード１００の長手方向の一端部（ここでは、テール部１０２であるが、ノーズ部１０４であってもよい）が差し込まれる開口部１６と、差し込まれた一端部（テール部）１０２が当接することによりスノーボード１００を下方から支持する支持部１８とを備えている。なお、ボード支持装置１（アッセンブリー１Ａ、１Ｂ）は、前後対称の形状を有しており、背面カバー１４側から視た構成（不図示）も同様となる。
【００１７】
図３のＶ部における断面図である図５に示すように、開口部１６は、前後方向の幅Ｌ１が前記スノーボード１００における板厚Ｄ（例えば１０［ｍｍ］程度）よりも大きく且つキック高さＨ（例えば６０〜７０［ｍｍ］程度）よりも小さく形成されている。一例として、本実施形態においては、幅Ｌ１＝２０［ｍｍ］程度に極めて小さく設定することができる。
【００１８】
また、開口部１６と支持部１８との間の長さが、スノーボード１００における一端部１０２の先端と当該一端部１０２側のビンディング１５０Ｂとの間の長さよりも短くなるように、開口部１６および支持部１８の位置が設定されている。これによれば、装置の全高を従来の支持装置よりも極めて低くすることができる（例えば、特許文献１記載の支持装置の二分の一以下の高さとすることができる）ため、ボード支持装置１を極めてコンパクトな形状とすることが可能となる。
【００１９】
一方、支持部１８は、一端部１０２の前後左右いずれかの方向への移動を規制する規制部を有している。本実施形態においては、規制部として、一端部１０２の表面（ビンディング１５０Ａ、１５０Ｂ取付面）側部分が当接可能に立設されて当該一端部１０２の前方への移動を規制する前部壁２０を有している。また、規制部として、一端部１０２の縁部分１０２ａが少なくとも左右二箇所で当接可能に立設されて当該一端部１０２の左右への移動を規制する一対の側部壁２２、２４と、を有している。
【００２０】
さらに、支持部１８は、支持部の前部壁２０の位置が、開口部１６の前方側内縁部１６ａの位置よりも前方側となるように配設されている。より具体的な構成として、平面視における支持部１８の前部壁２０と開口部１６の後方側内縁部１６ｂとの間の長さＬ２が、スノーボード１００のテール部１０２のキック高さＨと同一寸法となるように形成されている。したがって、前部壁２０の配設位置は、キック高さＨに応じて適宜設定すればよい。なお、上記「同一寸法」とは、厳密な同一寸法に限定されるものではなく、略同一寸法も含む用語として用いるものである。
【００２１】
なお、本実施形態においては、前述の通り、開口部１６が前後方向に二個並設された構成である。より具体的には、開口部１６が支持部材２６を挟んで前後方向に二個設けられている。すなわち、支持部材２６の前面および後面が、前後それぞれの開口部１６における後方側内縁部１６ｂに相当する。つまり、前後それぞれの開口部１６において、二つのスノーボード１００が表裏逆向き（すなわち、裏面同士を対向させる向き）で差し込まれて支持される使用態様となる。一方、支持部１８は、当該使用態様に対応して、支持部１８が前後方向にそれぞれ逆向きに二個設けられている。なお、本実施形態においては、前後方向に垂直な面による断面がコ字状を成す一枚の板状部材が用いられると共に、各開口部１６に対応して、前部壁２０が逆の位置（前部と後部）に設けられた構成となる。
【００２２】
本実施形態においては、上記の通り、前後方向に二個並設された開口部１６および支持部１８が、さらに左右方向に三個並設されて、ボード支持装置１が構成されている。ただし、左右方向の並設個数は特に限定されず、一もしくは他の複数個としてもよい。また、前後方向に並設させない構成としてもよい。
【００２３】
上記の構成によれば、開口部１６の前後方向幅がキック高さＨよりも小さいため、スノーボード１００を垂直にした状態で差し込むことは不可能である。しかし、他端部（ノーズ部）１０４を前方側（ビンディング１５０Ａ、１５０Ｂ取付面側）へ傾斜させた状態で当該開口部１６に差し込み、徐々に傾斜状態から垂直状態へ戻しながら差し込んでいくことによって、一端部（テール部）１０２を支持部１８まで到達させることが可能となる。このように、開口部１６の前後方向幅を狭く形成することによって、図５に示すように、他端部（ノーズ部）１０４が前方側へ倒れる移動動作（矢印Ａ方向）に対して、開口部１６の前方側内縁部１６ａで支持して移動を規制することができる。また、キック形状にも大きく起因して他端部（ノーズ部）１０４が後方側へ倒れる移動動作（矢印Ｂ方向）に対して、開口部１６の後方側内縁部１６ｂで支持すると共に、一端部（テール部）１０２の表面側部分を前部壁２０支持することによって、確実に移動を規制することができる。
【００２４】
このとき、前部壁２０との後方側内縁部１６ｂとの間の長さＬ２が、スノーボード１００のキック高さＨと同一寸法であることによって、スノーボード１００を垂直の状態（表面、裏面を基準面として）に維持をすることができるため、より一層安定した支持が可能となる。
【００２５】
さらに、一対の側部壁２２、２４によって、他端部（ノーズ部）１０４が左右方向へ倒れる移動動作も規制することができる。なお、一対の側部壁２２、２４は、一端部１０２の縁部分１０２ａが常に左右二箇所で当接した状態となるように配設してもよく、あるいは、他端部（ノーズ部）１０４が左右方向へ倒れる移動動作が生じたときにいずれか一方に当接した状態となるように配設してもよい。
【００２６】
以上のように、本実施形態に係るボード支持装置１は、装置高さをスノーボード１００の重心部分よりも低く形成することができるため、高さのみならず装置形状全体を小型化することができる。したがって、設置時に広い場所が必要となるという課題や、未使用時に収納する際等において収納作業に多大な労力を要し、また収納場所の確保が困難になるという課題の解決が可能となる。
【００２７】
また、スノーボード１００が一枚であっても前後左右方向に傾かないように確実に自立させて支持することが可能となる。したがって、滑走面同士合わせて重ねた状態で差し込んで支持する支持装置等と比較して、スノーボード同士でエッジが接触すること等によって傷がつき易いという課題の解決が可能となる。また、単に広い開口部に差し込むことにより一枚で自立させるタイプの支持装置等と比較しても、風や接触等によって倒れやすいという課題の解決が可能となる。
【００２８】
また、箱状の支持ユニット３にボード支持装置１（アッセンブリー１Ａ、１Ｂ）を着脱可能に固定する構成を採用すれば、スノーボードの形状変更等により使用不能となった場合であっても、ボード支持装置１（アッセンブリー１Ａ、１Ｂ）を取り外し、別の開口部形状を有するボード支持装置１（アッセンブリー）（不図示）を取り付けることができるため、スノーボードの形状変更に対応することができ、長期に支持ユニット３を使用することができる。
【００２９】
（第二の実施形態）
第二の実施形態として、箱状の支持ユニット３にボード支持装置１およびスキー支持装置２がそれぞれ着脱可能に収納されて固定された構成を例に挙げて説明を行う（図６参照）。
【００３０】
ここで、スキー支持装置２の概略図を図３（前面カバー４６有り）、および図４（前面カバー４６無し）に示す。同図に示すように、本実施形態に係るスキー支持装置２は、スキー板２００のテール側の端部２０２が差し込まれるスキー用開口部４２、および、差し込まれた端部２０２が当接することによりスキー板を立てた状態で下方から支持するスキー用支持部４４を備えて構成されている。スキー支持装置２に関しても、最小構成単位はスキー用開口部４２が一個およびスキー用支持部４４が一個の状態であり、任意に並設させた構成（「アッセンブリー」という）とすることが可能である。
【００３１】
一例として、本実施形態に係るスキー支持装置２（アッセンブリー２Ａ）は、スキー用開口部４２が左右方向に七個並設され、それぞれに対応するスキー用支持部４４も左右方向に七個並設された構成を備えている。
【００３２】
なお、ボード支持装置１（アッセンブリー１Ａ）は前述の第一の実施形態と同様であるため繰り返しの説明を省略する。
【００３３】
ここで、本実施形態の特徴として、支持ユニット３の外形をなす箱状体３ａの上面にボード支持装置１（アッセンブリー１Ａ）およびスキー支持装置２（アッセンブリー２Ａ）を収納・固定する複数個（ここでは二個）の収納部（ここでは３Ａ、３Ｂ）が設けられている。収納部３Ａ、３Ｂは、いずれも開口する溝状もしくは孔状に形成されると共に、それぞれが、ボード支持装置１（アッセンブリー１Ａ）およびスキー支持装置２（アッセンブリー２Ａ）のいずれに対しても収納・固定が可能な寸法形状に形成されている。すなわち、スキー支持装置２（アッセンブリー２Ａ）が収納されている収納部３Ａには、ボード支持装置１（アッセンブリー１Ａ）を収納することができ、ボード支持装置１（アッセンブリー１Ａ）が収納されている収納部３Ｂには、スキー支持装置２（アッセンブリー２Ａ）を収納することができる。
【００３４】
この構成によれば、複数個（ここでは二個）の収納部（ここでは３Ａ、３Ｂ）に対して、ボード支持装置１もしくはスキー支持装置２を任意に選択して収納することができる。すなわち、ニーズに応じて、ボード支持装置１もしくはスキー支持装置２を増減させることが可能となる。また設置後であっても、個客変動、季節変動、嗜好変化等の様々な要因に対応して、ボード支持装置１（アッセンブリー１Ａ）およびスキー支持装置２（アッセンブリー２Ａ）の設定数を変更して、柔軟に対応することが可能となる。
【００３５】
また、前述のボード支持装置１（アッセンブリー１Ａ）の場合と同様に、スキー板の形状変更等により使用不能となった場合であっても、スキー支持装置２（アッセンブリー２Ａ）を取り外し、別の開口部形状を有するスキー支持装置２（アッセンブリー）（不図示）を取り付けることができるため、スキー板の形状変更に対応することができ、長期に支持ユニット３を使用することができる。
【００３６】
なお、箱状体３ａに設けられる収納部は二個に限定されるものではなく、他の複数個（ここでは四個）の場合の変形例を図９に示す。この変形例に係る支持ユニット３は、三個のスキー支持装置２（アッセンブリー２Ａ、２Ｂ、２Ｃ）を着脱可能に収納して固定する収納部３Ａ、３Ｂ、３Ｃ、および一個のボード支持装置１（アッセンブリー１Ａ）を着脱可能に収納して固定する収納部３Ｄを備える場合の構成例である。このように、ボード支持装置１（アッセンブリー１Ａ）およびスキー支持装置２（アッセンブリー２Ａ）を必要数、任意の比率で配設することのできるユニット化が容易に実現可能となる。
【００３７】
（第三の実施形態）
第三の実施形態として、ボード支持装置１がベンチとしても兼用可能な構成の例について説明を行う（図１０参照）。
【００３８】
本実施形態に係るボード支持装置１は、前述の第一の実施形態と基本的な構成は同様であるが、開口部１６が前後方向に複数個並設された構成を備えると共にベンチとして兼用可能に構成されている点において相違する。以下、当該相違点を中心に本実施形態について説明する。
【００３９】
より詳しくは、開口部１６および対応する支持部１８が前後方向に複数個（一例として、八個）並設されている。ここで、隣接する開口部１６同士は支持部材２８を挟んで並設される構成となっている。この支持部材２８は、隣接して差し込まれるスノーボード１００同士が相互に接触しない間隔を保持可能な所定幅を前後方向に有し、且つ、着座する人の臀部から脚部を支持可能な所定幅を左右方向に有する上面２８ａを備えた板状部材である。
【００４０】
さらに、支持部材（ここでは板状部材）２８を固定すると共に、上面２８ａに印加された荷重（着座する人の体重等）を支承する骨組部材３２が設けられている。
【００４１】
以上の構成によれば、図１０に示すように、各開口部１６につきスノーボード１００を一枚ずつ前後左右方向に傾かないように確実に自立させて支持することが可能となる。なお、スノーボード１００を自立させて支持する機構・作用は前述の第一の実施形態と同様であり、繰り返しの説明を省略する。
【００４２】
また、開口部１６を挟んで複数個並設される支持部材（板状部材）２８を備える構成によって、人が着座し、あるいは用具等を載置するベンチとしても兼用することができる。これは、装置高さを低く設定できる本発明ならではの効果であると言える。さらに、ベンチとして利用できれば、一年を通して活用が可能となるため、シーズンオフ等に、梱包して倉庫等に保管する作業が不要となるため、作業工数・保管場所共に不要になるという効果を得ることができる。
【００４３】
なお、ベンチとして兼用される以上、人が着座した際の座り心地を良くするために、開口部１６の前後方向幅Ｌ１は出来る限り小さい寸法であることが望ましい。この点に関しても、本実施形態においてはＬ１＝２０［ｍｍ］程度に極めて小さく設定することができ、良好な座り心地が実現できる。これは、開口部１６の前後方向幅を小さく設定しても、スノーボード１００を支持可能な構造を有する本発明ならではの効果であると言える。
【００４４】
（第四の実施形態）
続いて、本発明の第四の実施形態に係るボード支持装置１について説明する。本実施形態に係るボード支持装置１は、前述の第一の実施形態と基本的な構成は同様であるが、特に、支持部１８の構成において相違点を有する。以下、当該相違点を中心に本実施形態について説明する。
【００４５】
本実施形態に係るボード支持装置１の概略図を図１１に示す。当該図１１は、前述の第一の実施形態における図３と同様に、ボード支持装置１（アッセンブリー１Ａ、１Ｂ）の前面カバーを外した状態の図として図示している。ここで、本実施形態に係る支持部（符号１８Ａとして示す）の拡大図（斜視図）を図１２に示す。
【００４６】
この支持部１８Ａは、規制部として、一端部１０２の縁部分１０２ａが左右二箇所で当接可能に立設された一対の側部壁２２、２４を有している。さらに、側部壁２２、２４の直線状に形成された上端部において、当該上端部を覆うようにそれぞれパッキン５２、５４が固定されている。一例として、パッキン５２、５４は、ゴム材料等を用いて形成されている。
【００４７】
この構成によれば、スノーボード１００の一端部１０２の縁部分１０２ａがパッキン５２、５４と左右二箇所で当接することにより、滑り止め作用およびクッション作用（沈み込み作用）が生じて、当該一端部１０２の前方への移動および左右への移動のいずれも規制することができる。また、支持が行われる際に、当該一端部１０２（縁部分１０２ａ）に傷が付いてしまうことが防止できる。
【００４８】
なお、一端部１０２の前方への移動を規制する規制部として、前述の前部壁２０を併用してもよい。前部壁２０の位置は、キック高さＨに応じて適宜設定すればよく、キック高さＨが低い場合には、図１１中の支持部１８Ｂのように、より後方側に配設される。
【００４９】
（第五の実施形態）
続いて、本発明の第五の実施形態に係るボード支持装置１について説明する。本実施形態に係るボード支持装置１は、前述の第一の実施形態と基本的な構成は同様であるが、特に、支持部１８の構成において相違点を有する。以下、当該相違点を中心に本実施形態について説明する。
【００５０】
本実施形態に係るボード支持装置１の概略図を図１３に示す。当該図１３は、前述の第一の実施形態における図３と同様に、ボード支持装置１（アッセンブリー１Ａ、１Ｂ）の前面カバーを外した状態の図として図示している。ここで、本実施形態に係る支持部（符号１８Ｃとして示す）の拡大図（斜視図）を図１４に示す。また、作用説明図を図１５に示す。
【００５１】
この支持部１８Ｃは、前述の第四の実施形態と同様に、規制部として、一端部１０２の縁部分１０２ａが左右二箇所で当接可能に立設された一対の側部壁２２、２４を有している。また、当該上端部を覆うように、ゴム材料等を用いて形成されたパッキン５２、５４が固定されている。
【００５２】
ここで、当該第四の実施形態と相違するのは、側部壁２２、２４の上端部が、側面視においてＶ字状（二つのスノーボード支持用として連続形成することによりＷ字状となっている）に形成されている点である。
【００５３】
この構成によれば、前述の第四の実施形態と同様の作用効果に加えて、側部壁２２、２４の上端部が側面視Ｖ字状であることによる以下の作用効果が奏される。すなわち、キックを有するスノーボード１００を支持する際に、前方が高く後方が低くなる傾斜部５６によって、一端部１０２の前方への移動をより一層確実に規制することができる（図１５（ａ）参照）。その一方で、アルペン系のようにキックを有しないスノーボード１００Ａを支持する際に、開口部１６の直下位置に設けられる窪み部５８によって、当該スノーボード１００を垂直に支持できると共に、一端部１０２の前方および後方への移動を規制することができる（図１５（ｂ）参照）。
【００５４】
なお、キックを有するスノーボード１００を支持する際には、一端部１０２の前方への移動を規制する規制部として、前述の前部壁２０を併用してもよい。
【００５５】
（第六の実施形態）
続いて、本発明の第六の実施形態に係るボード支持装置１について説明する。本実施形態に係るボード支持装置１は、前述の第一の実施形態と基本的な構成は同様であるが、特に、支持部１８の構成において相違点を有する。以下、当該相違点を中心に本実施形態について説明する。
【００５６】
本実施形態に係るボード支持装置１の概略図を図１６に示す。当該図１６は、前述の第一の実施形態における図３と同様に、ボード支持装置１（アッセンブリー１Ａ、１Ｂ）の前面カバーを外した状態の図として図示している。ここで、本実施形態に係る支持部（符号１８Ｄとして示す）の拡大図（斜視図）を図１７に示す。また、作用説明図を図１８に示す。
【００５７】
この支持部１８Ｄは、アルペン系のスノーボード１００Ａやパウダー系スワローテールのスノーボード１００Ｂ等のようにキックを有しないスノーボードの支持に好適な形状を有している。より具体的には、上端部が前方に向かって傾斜した前部壁２０および左右方向に延設された溝部６０が設けられており、当該前部壁２０は前後方向に平行な面による断面視においてＵ（もしくはＶ）字状（二つのスノーボード支持用として連続形成することによりＷ字状となっている）に形成されている。
【００５８】
この構成によれば、アルペン系のスノーボード１００Ａやパウダー系スワローテールのスノーボード１００Ｂ等のようにキックを有しないスノーボードを支持する際に、開口部１６の直下位置に設けられる溝部６０によって、当該スノーボード１００を垂直に支持できると共に、一端部１０２の前方および後方への移動を規制することができる（図１８（ａ）、（ｂ）参照）。
【００５９】
なお、アルペン系のスノーボード１００Ａは一端部１０２の下端が平坦形状であり、また、パウダー系スワローテールのスノーボード１００Ｂは一端部１０２の下端が左右二点での支持形状であるため、前述の実施形態のような左右への移動を規制する側部壁を設けなくても、左右への移動の虞は無い、もしくは低い。
【００６０】
以上、説明した通り、本発明に係るボード支持装置によれば、装置高さが低く、コンパクトな形状を実現することができる。したがって、設置時や倉庫への保管時等、作業工数を省力化することができ、設置場所・保管場所を削減することができる。
【００６１】
また、スノーボードが一枚であっても風や接触等による傾倒が防止でき、確実に自立して支持することができる。滑走面同士を重ねて支持させる従来の支持装置と比較して、スノーボードに傷が付いてしまうことが防止できる。
【００６２】
また、当該ボード支持装置およびスキー支持装置を任意に組み合わせた支持ユニットを容易に実現することが可能となる。したがって、アッセンブリー化されたボード支持装置およびスキー支持装置を必要数、任意の比率で配設するユニット化が容易に実現することが可能となる。
【００６３】
また、当該ボード支持装置をベンチ兼用の構成として実現することが可能となる。したがって、シーズンオフ等に倉庫等に保管する作業をなくして、一年を通して活用することが可能となる。
【００６４】
なお、本発明は、以上説明した実施例に限定されることなく、本発明を逸脱しない範囲において種々変更可能である。
【符号の説明】
【００６５】
１  ボード支持装置
２  スキー支持装置
３  支持ユニット
３Ａ、３Ｂ、３Ｃ、３Ｄ  収納部
１６  開口部
１６ａ  前方側内縁部
１６ｂ  後方側内縁部
１８、１８Ａ、１８Ｂ、１８Ｃ、１８Ｄ  支持部
２０  前部壁（規制部）
２２、２４  側部壁（規制部）
２６、２８  支持部材
３２  骨組部材
４２  スキー用開口部
４４  スキー用支持部
５２、５４  パッキン
１００、１００Ａ、１００Ｂ  スノーボード
１０２  一端部（テール部）
１５０Ａ、１５０Ｂ  ビンディング
２００  スキー板
【図１】
2017038785.tif 000003
【図２】
2017038785.tif 000004
【図３】
2017038785.tif 000005
【図４】
2017038785.tif 000006
【図５】
2017038785.tif 000007
【図６】
2017038785.tif 000008
【図７】
2017038785.tif 000009
【図８】
2017038785.tif 000010
【図９】
2017038785.tif 000011
【図１０】
2017038785.tif 000012
【図１１】
2017038785.tif 000013
【図１２】
2017038785.tif 000014
【図１３】
2017038785.tif 000015
【図１４】
2017038785.tif 000016
【図１５】
2017038785.tif 000017
【図１６】
2017038785.tif 000018
【図１７】
2017038785.tif 000019
【図１８】
2017038785.tif 000020